(57)【要約】【課題】タグ・ナビゲーション方法及び関連装置を提供する。【解決手段】方法は、第一タグセットを表示する段階と、ユーザーがトリガーしたタッチ入力を受信する段階と、前記タッチ入力に基づいて表示スクリーンの方向に沿って順次分布する複数のタグの位置を変更する段階と、表示スクリーンの前記方向に沿って順次分布する複数のタグの変更された位置に基づいて第二タグセットを表示する段階とを含む。前記第一タグセットに含まれる複数のタグは前記携帯型デジタル情報装置に設けられた表示スクリーンの前記方向に沿って順次分布し、第一タグセットに含まれる複数のタグは主タグセットに含まれる複数のタグのサブセットである。前記タッチ入力は、ユーザーが前記携帯型デジタル情報装置に設けられたタッチ感知領域にタッチし、タッチ感知領域で前記方向と平行な方向に沿って指を移動することによりトリガーされる。前記第二タグセットに含まれる複数のタグは主タグセットに含まれる複数のタグのサブセットである。【選択図】図４
2008276776.tif 000002
【特許請求の範囲】
【請求項１】
携帯型デジタル情報装置のユーザーインターフェイスで種々のタグをナビゲートする方法であって、
第一タグセットを表示する段階と、
ユーザーがトリガーしたタッチ入力を受信する段階と、
前記タッチ入力に基づいて表示スクリーンの方向に沿って順次分布する複数のタグの位置を変更する段階と、
表示スクリーンの前記方向に沿って順次分布する複数のタグの変更された位置に基づいて第二タグセットを表示する段階とを含み、
前記第一タグセットに含まれる複数のタグは前記携帯型デジタル情報装置に設けられた表示スクリーンの前記方向に沿って順次分布し、第一タグセットに含まれる複数のタグは主タグセットに含まれる複数のタグのサブセットであり、
前記タッチ入力は、ユーザーが前記携帯型デジタル情報装置に設けられたタッチ感知領域にタッチし、タッチ感知領域で前記方向と平行な方向に沿って指を移動することによりトリガーされ、
前記第二タグセットに含まれる複数のタグは主タグセットに含まれる複数のタグのサブセットであることを特徴とするタグのナビゲーション方法。
【請求項２】
前記表示されたタグの位置変化量は、タッチ感知領域でのユーザーの指の変位量に関係することを特徴とする請求項１に記載のタグのナビゲーション方法。
【請求項３】
前記主タグセットに属して第一タグセットに属しない複数のタグは、表示スクリーンで複数のタグの位置を変更した後に表示されることを特徴とする請求項１に記載のタグのナビゲーション方法。
【請求項４】
前記方法は更に、
タッチ感知領域でのユーザーの指の変位に対応するすべてのタグの位置変化に基づいて、触覚フィードバックをユーザーに提供する段階を含むことを特徴とする請求項１に記載のタグのナビゲーション方法。
【請求項５】
前記複数のタグは前記携帯型デジタル情報装置の表示スクリーンにおいて水平方向または垂直方向に分布することを特徴とする請求項１に記載のタグのナビゲーション方法。
【請求項６】
前記複数のタグの位置は、ユーザーの指がタッチ感知領域で移動するのと反対な方向に沿って移動することを特徴とする請求項１に記載のタグのナビゲーション方法。
【請求項７】
ユーザーがトリガーするタッチ入力を受信し、携帯型デジタル情報装置に設けられたユーザーインターフェイスで種々のタグをナビゲートするための携帯型デジタル情報装置であって、
ある方向に沿って分布する第一タグセットに含まれる複数のタグを表示する表示スクリーンと、
ユーザーがタッチ感知領域をタッチしてユーザーの指をタッチ感知領域で前記方向と平行な方向に沿って移動することによりトリガーされるタッチ入力を受信するタッチ感知領域と、
ユーザーからタッチ入力を受信し、受信したタッチ入力に基づいて前記方向に並んだ複数のタグの位置を変更し、及び変更された複数のタグの位置に基づいて第二タグセットを表示するように表示スクリーンを制御するプロセッサとを含み、
前記第一タグセットに含まれる複数のタグは主タグセットに含まれる複数のタグのサブセットであり、前記第二タグセットに含まれる複数のタグは主タグセットに含まれる複数のタグのサブセットであることを特徴とする携帯型デジタル情報装置。
【請求項８】
前記プロセッサは、タッチ感知領域でのユーザーの指の変位に基づいて複数のタグの位置を変更することを特徴とする請求項７に記載の携帯型デジタル情報装置。
【請求項９】
前記プロセッサは、複数のタグの位置を変更した後に、主タグセットに属して第一タグセットに属しない複数のタグを表示するように表示スクリーンに命令することを特徴とする請求項７に記載の携帯型デジタル情報装置。
【請求項１０】
前記携帯型デジタル情報装置は更に、
前記複数のタグの毎回の位置変化に基づいて触覚フィードバックをユーザーに提供するバイブレーターを含むことを特徴とする請求項７に記載の携帯型デジタル情報装置。
【請求項１１】
前記複数のタグは前記携帯型デジタル情報装置の表示スクリーンにおいて水平方向または垂直方向に分布することを特徴とする請求項７に記載の携帯型デジタル情報装置。
【請求項１２】
前記プロセッサは、ユーザーの指がタッチ感知領域で移動するのと反対な方向に沿って複数のタグの位置を移動することを特徴とする請求項７に記載の携帯型デジタル情報装置。
【発明の詳細な説明】
【技術分野】
【０００１】
本発明は携帯型電子装置のインターフェイス・ナビゲーション方法に関し、特にタッチ式制御インターフェイスを備えた携帯型電子装置のナビゲーション方法に関する。
【背景技術】
【０００２】
携帯型電子装置の市場の発展に伴って、携帯型電子装置に内蔵した機能が増えることにより、携帯型電子装置に設けたユーザーインターフェイスでナビゲートし、これらの機能にアクセスする需要も増えてくる。上記ユーザーインターフェイスの中で、特にユーザーが直接に操作できるＧＵＩ（グラフィック・ユーザー・インターフェイス）は最も好ましい。
【０００３】
図１を参照する。図１は従来のタグ式ナビゲーションシステムの３つの例を表す説明図５である。スクリーン１０は二等分のタグ１２、１４を表示してユーザーに選ばせ、スクリーン２０は三等分のタグ２２、２４、２６を表示してユーザーに選ばせ、スクリーン３０は五等分のタグ３２、３４、３６、３８、４０を表示してユーザーに選ばせる。図１に示すタグ・ナビゲーションシステムを通して、ユーザーは現在開いているタグと、未だに開いていないタグが見られる。
【０００４】
図２を参照する。図２は従来のタグ・ナビゲーションシステムに用いられる他種のスクリーン５０を表す説明図である。スクリーン５０はタグ５２、５４、５６、５８、６０、６２、６４を表示する。タグ６２は現在開いているタグであって、タグ５４、５６、５８、６０、６２、６４は未だに開いていないタグである。ここで、タグ６２に対応するメニュー６６が表示され、タグ６２に対応する機能に基づいてユーザーが選べる項目が表示されている。
【０００５】
図３を参照する。図３は従来のテキストボックス７０、８０、９０を表す説明図である。テキストボックス７０は幅と高さが一定であるが、スクロールバーを備えない。テキストボックス８０は幅が一定で高さが可変であって、スクロールバー８２も備える。スクロールバー８２は方向アイコン（アロー）８４、８６を備え、それを用いてスクロールバー８２を上下にドラッグすることができる。テキストボックス９０は幅と高さが可変であって、スクロールバー９１、９５を備える。その方向アイコン９２、９３はスクロールバー９１を上下にドラッグするためのものであり、方向アイコン９６、９７はスクロールバー９５を左右にドラッグするためのものである。
【０００６】
上掲タグ・ナビゲーションシステムはいずれもユーザーに対して相当なナビゲーション機能を提供するが、使用上不便なところも存在する。また、ＰＤＡ、スマートフォンに設けられるタッチスクリーンに慣れたユーザーにとっても容易に使いこなせない。したがって、ユーザーにとって、小型のタッチ式入力装置のユーザーインターフェイスでナビゲートできるような、もっと簡単で直接に操作できるタッチ式ナビゲーションシステムが必要である。
【発明の開示】
【発明が解決しようとする課題】
【０００７】
本発明は主な目的は、ユーザーがタッチ式入力装置で表示されるメニュー項目を通してナビゲートすることを可能にするために、タグ・ナビゲーション方法及び関連装置を提供することである。
【課題を解決するための手段】
【０００８】
本発明の実施例では、携帯型デジタル情報装置のユーザーインターフェイスで種々のタグをナビゲートする方法を掲示する。該方法は、第一タグセットを表示する段階と、ユーザーがトリガーしたタッチ入力を受信する段階と、前記タッチ入力に基づいて表示スクリーンの方向に沿って順次分布する複数のタグの位置を変更する段階と、表示スクリーンの前記方向に沿って順次分布する複数のタグの変更された位置に基づいて第二タグセットを表示する段階とを含む。前記第一タグセットに含まれる複数のタグは前記携帯型デジタル情報装置に設けられた表示スクリーンの前記方向に沿って順次分布し、第一タグセットに含まれる複数のタグは主タグセットに含まれる複数のタグのサブセットである。前記タッチ入力は、ユーザーが前記携帯型デジタル情報装置に設けられたタッチ感知領域にタッチし、タッチ感知領域で前記方向と平行な方向に沿って指を移動することによりトリガーされる。前記第二タグセットに含まれる複数のタグは主タグセットに含まれる複数のタグのサブセットである。
【０００９】
本発明の他実施例では、ユーザーがトリガーするタッチ入力を受信し、携帯型デジタル情報装置に設けられたユーザーインターフェイスで種々のタグをナビゲートするための携帯型デジタル情報装置を掲示する。該携帯型デジタル情報装置は、ある方向に沿って分布する第一タグセットに含まれる複数のタグを表示する表示スクリーンと、ユーザーがタッチ感知領域をタッチしてユーザーの指をタッチ感知領域で前記方向と平行な方向に沿って移動することによりトリガーされるタッチ入力を受信するタッチ感知領域と、ユーザーからタッチ入力を受信し、受信したタッチ入力に基づいて前記方向に並んだ複数のタグの位置を変更し、及び変更された複数のタグの位置に基づいて第二タグセットを表示するように表示スクリーンを制御するプロセッサとを含む。前記第一タグセットに含まれる複数のタグは主タグセットに含まれる複数のタグのサブセットであり、前記第二タグセットに含まれる複数のタグは主タグセットに含まれる複数のタグのサブセットである。
【００１０】
したがって、ユーザーはタッチ入力の特性を利用し、タッチ感知領域で前記方向の移動を生成してタグのナビゲーションを容易にすることができる。本発明はタッチ入力の特性を充分に利用するのみならず、ユーザーに対しても便利なナビゲーション方法を提供する。
【発明を実施するための最良の形態】
【００１１】
かかる装置の特徴を詳述するために、具体的な実施例を挙げ、図示を参照して以下に説明する。
【００１２】
図４を参照する。図４は本発明による携帯型デジタル情報装置１００のブロック図である。携帯型デジタル情報装置１００は表示スクリーン１０２、タッチ感知領域１０４、プロセッサ１０６、制御ボタン１０８、及びメモリ１１０を備える。タッチ感知領域１０４は携帯型デジタル情報装置１００で、表示スクリーン１０２と分離された箇所に設けることができる。もっとも、表示スクリーン１０２としてタッチスクリーンを実装するとき、タッチ感知領域１０４が表示スクリーン１０２の一部をなすこともできる。タッチ感知領域１０４は、ユーザーが指で携帯型デジタル情報装置１００に入力した制御・操作などの指令を受信する。本発明の他実施例では、ユーザーがタッチスクリーン専用のスタイラスで感知領域１０４に指令を入力することもできる。プロセッサ１０６は携帯型デジタル情報装置１００の動作を制御し、感知領域１４または制御ボタン１０８への入力に基づいて表示スクリーン１０２に表示する画像を制御する。メモリ１１０は携帯型デジタル情報装置１００のユーザーデータとアプリケーションを記憶する。
【００１３】
図５を参照する。図５は本発明の好ましい実施例で掲示した携帯型デジタル情報装置１００の平面図である。携帯型デジタル情報装置１００は筐体１１２を備え、表示スクリーン１０２、感知領域１０４、及び制御ボタン１０８は筐体１１２に設置される。表示スクリーン１０２の一部ではナビゲーション領域１２０が示され、ナビゲーション領域１２０は携帯型デジタル情報装置１００のユーザーインターフェイスでメニューをナビゲートするために用いられる。本発明の好ましい実施例では、ナビゲーション領域１２０では画像で示された複数のタグが示され、選択表示タグ１２２はハイライト方式でユーザーが現在ナビゲートしているメニュー項目を強調表示する。
【００１４】
図６、図７、及び図８を参照する。図６〜図８はナビゲーション領域１２０のタグが選択表示タグ１２２により選ばれたとき、それに対応して表示スクリーン１０２に表示する内容を表す説明図である。残念なことに、現在装置で利用できる機能の種類と数量は増え続けているので、限られた表示面積のもとで、ナビゲーション領域１２０ではすべてのタグを同時に表示することができない。したがって、表示スクリーン１０２に現在表示されないタグを見るためには、ユーザーはウィンドウをスクロールしなければならない。例えば、図６〜図８に示すスクリーンの位置方向とタグの配置方式を通して、ユーザーはナビゲーション領域１２０を左右にスクロールすることで表示スクリーンに現在表示されないタグを見ることができる。上述のとおり、本発明では、ユーザーがナビゲーション領域１２０のタグの間を迅速にナビゲートすることを可能にした新規なタッチ式ナビゲーションシステムを提供している。
【００１５】
図９と図１０を参照する。図９と図１０はナビゲーション領域１２０の表示区間１３２と未表示区間１３０、１３４を表す説明図である。図９と図１０に示すように、表示区間１３２はナビゲーション領域１２０で現在表示できるすべてのタグを含み、ナビゲーション領域１２０に含まれたすべてのタグの中央部分に位置する。図９では、第一未表示区間１３０は表示区間１３２の表示区間１３２の左側のタグを含み、第二未表示区間１３４は表示区間１３２の表示区間１３２の右側のタグを含む。同じく図１０では、第一未表示区間１３０は表示区間１３２の表示区間１３２の下方のタグを含み、第二未表示区間１３４は表示区間１３２の表示区間１３２の上方のタグを含む。したがって、これらのタグは水平方向または垂直方向に配列するか、または表示スクリーン１０２の任意の位置に表示することができる。
【００１６】
ナビゲーション領域１２０のタグの間を迅速にナビゲートするために、本発明では４種類の方法を提供する。第一の方法では、表示スクリーン１０２がタッチスクリーンであれば、携帯型デジタル情報装置１００のユーザーは指またはスタイラスで表示スクリーン１０２上の画像をタッチすることができる。当該画像は現在ナビゲーション領域１２０の表示区間１３２に示すタグに対応する。第二の方法では、制御ボタン１０８の方向キーでナビゲーション領域１２０のタグの間をナビゲートする。そのうちナビゲーション領域１２０のタグは表示区間１３２と未表示区間１３０、１３４に位置する。
【００１７】
第三の方法は表示スクリーン１０２がタッチスクリーンであることを前提として実施される。ユーザーはタッチスクリーンを指で触れて所要のアイコンに移動し、選択表示タグ１２２などのタグを上記アイコンを含んだアイコンバーの任意の位置にドラッグすることができる。ユーザーがタグをドラッグするとき、ナビゲーション領域１２０の表示区間１３２に含まれたアイコンはいずれもドラッグ方向の反対方向に移動する。したがって、ユーザーが指で表示スクリーン１０２の境界線に触れるとき、ユーザーの指は上記アイコンバーの最後のアイコンにタッチする。同じく、ユーザーが指で表示スクリーン１０２の中央部に触れるとき、ユーザーの指は上記アイコンバーの中央のアイコンにタッチする。そうすると、ユーザーは表示スクリーン１０２の可視面積より幅が数倍も大きいアイコンバーを容易にナビゲートすることができる。なお、ユーザーがアイコンバーでタグを任意方向にドラッグするとき、当該タグは最も近くにあるアイコンに移動する。したがって、ユーザーはアイコンの位置を容易に確認できる。
【００１８】
第四の方法は上記第三の方法とほぼ同じであるが、第四の方法では図５に示すような表示スクリーン１０２と分離したタッチ感知領域１４を採用する。図５に示すように、タッチ感知領域１０４は携帯型デジタル情報装置１００の筐体の底部に設けられ、ユーザーはタッチ感知領域１０４を指で触れることによってナビゲーション領域１２０に含まれたさまざまなタグをナビゲートすることができる。ユーザーの指がタッチ感知領域１０４に触れると、タグを示す画像はユーザーの指に隣接した位置に移る。前述のとおり、表示タグの位置変化量はユーザーがタッチ感知領域１０４で指を移動する距離と関係する。
【００１９】
表示スクリーン１０２またはタッチ感知領域１０４でユーザーの指に対応するように各タグのアイコンを移動することを視覚的に表現するほか、ユーザーがナビゲーション領域１２０の表示区間１３２で或るアイコンからその他任意のアイコンへの移動状況を指示するものとして、タッチパルスまたは振動パルス方式で触覚フィードバックを表現することも可能である。触覚フィードバックの利用は、ユーザーが表示スクリーン１０２を見ずにナビゲーション領域１２０で任意のタグをナビゲートすることを可能にする。
【００２０】
まとめていえば、本発明はＧＵＩで複数のタグをナビゲートする便利な方法をユーザーに提供し、ユーザーが現在表示スクリーンの表示範囲に存在しない他のタグに迅速にアクセスすることを可能にし、ユーザーにタッチ入力の特性を充分に利用させる。なお、ユーザーが筋肉で記憶できず、表示スクリーンを見ずに感覚で常用のタグを選択できないという現象も、触覚フィードバックまたは音声フィードバック方式で解決し、ユーザーが表示スクリーンで各タグの変位量がわかるようにすることができる。
【００２１】
以上は本発明に好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【図面の簡単な説明】
【００２２】
【図１】従来のタグ式ナビゲーションシステムの３つの例を表す説明図である。
【図２】従来のタグ・ナビゲーションシステムに用いられる他種のスクリーンを表す説明図である。
【図３】従来のテキストボックスを表す説明図である。
【図４】本発明による携帯型デジタル情報装置のブロック図である。
【図５】本発明の好ましい実施例で掲示した携帯型デジタル情報装置の平面図である。
【図６】ナビゲーション領域のタグが選択表示タグにより選ばれたとき、それに対応して表示スクリーンに表示する内容を表す説明図である。
【図７】ナビゲーション領域のタグが選択表示タグにより選ばれたとき、それに対応して表示スクリーンに表示する内容を表す説明図である。
【図８】ナビゲーション領域のタグが選択表示タグにより選ばれたとき、それに対応して表示スクリーンに表示する内容を表す説明図である。
【図９】ナビゲーション領域の表示区間と未表示区間を表す説明図である。
【図１０】ナビゲーション領域の表示区間と未表示区間を表す説明図である。
【符号の説明】
【００２３】
１０、２０、３０、５０    スクリーン
１２、１４、２２、２４、    タグ
２６、３２、３４、３６、
３８、４０、５２、５４、
５６、５８、６０、６２
７０、８０、９０    テキストボックス
８２、９１、９５    スクロールバー
８４、８６、９１、９３    方向アイコン
９６、９７
１００    携帯型デジタル情報装置
１０２    表示スクリーン
１０４    タッチ感知領域
１０６    プロセッサ
１０８    制御ボタン
１１０    メモリ
１１２    筐体
１２０    ナビゲーション領域
１２２    選択表示タグ
１３０、１３４    未選択区間
１３２    選択区間
【図１】
2008276776.tif 000003
【図２】
2008276776.tif 000004
【図３】
2008276776.tif 000005
【図４】
2008276776.tif 000006
【図５】
2008276776.tif 000007
【図６】
2008276776.tif 000008
【図７】
2008276776.tif 000009
【図８】
2008276776.tif 000010
【図９】
2008276776.tif 000011
【図１０】
2008276776.tif 000012